(57)【要約】【課題】  癖付け時における頭髪へのダメージを抑制する。【解決手段】  被施術者の頭髪を所定の癖付け状態に保持するためのロッド９と、前記頭髪に対して加温ミストを噴霧して湿熱加温するミスト加温部５と、前記噴霧されるミストを超音波加振する超音波加振部７と、前記湿熱加温された前記頭髪を乾熱加温する発熱体７９とを備え、被施術者の頭髪を所定の癖付け状態に保持し、該保持された頭髪に対し加温ミストを噴霧することによって湿熱加温を行い、前記湿熱加温後の前記頭髪を乾熱加温する。【選択図】      図１
2011024832.tif 000002
【特許請求の範囲】
【請求項１】
所定の癖付け状態が保持された被施術者の頭髪に対し加温ミストを噴霧することによって湿熱加温を行う湿熱加温工程と、
前記湿熱加温後の前記頭髪を乾熱加温する乾熱加温工程と、
を備えたことを特徴とする頭髪処理方法。
【請求項２】
請求項１記載の頭髪処理方法であって、
前記加温ミストは、アルカリ性水、酸性水、中性水、純水、又はアルカリトリートメント液を含む基液から生成される、
ことを特徴とする頭髪処理方法。
【請求項３】
請求項１又は２記載の頭髪処理方法であって、
前記湿熱加温工程の前に、前記頭髪をトリートメント剤を含む薬液で処理する薬液処理工程を備えた、
ことを特徴とする頭髪処理方法。
【請求項４】
請求項１〜３の何れかに記載の頭髪処理方法であって、
前記乾熱加温工程の後に、前記頭髪に送風をあてる送風工程を備えた、
ことを特徴とする頭髪処理方法。
【請求項５】
所定の癖付け状態が保持された被施術者の頭髪に対しアルカリ性基液から生成されるアルカリ性加温ミストを噴霧することによってアルカリ性雰囲気下で湿熱加温を行うアルカリ性湿熱加温工程と、
前記アルカリ性湿熱加温工程後の前記頭髪に対し酸性基液から生成される酸性加温ミストを噴霧することによって酸性雰囲気下で湿熱加温を行う酸性湿熱加温工程と、
を備えたことを特徴とする頭髪処理方法。
【請求項６】
請求項５記載の頭髪処理方法であって、
前記アルカリ性湿熱加温工程と前記酸性湿熱加温工程との間に、前記アルカリ性湿熱加温工程後の前記頭髪を乾熱加温する乾熱加温工程を備えた、
ことを特徴とする頭髪処理方法。
【請求項７】
請求項５又は６記載の頭髪処理方法であって、
前記酸性湿熱加温工程では、前記頭髪に対し前記酸性加温ミストを噴霧した状態で送風をあてる、
ことを特徴とする頭髪処理方法。
【請求項８】
被施術者の体表面に対しアルカリ性基液から生成されるアルカリ性加温ミストを噴霧することによってアルカリ性雰囲気下で湿熱加温を行うアルカリ性湿熱加温工程と、
前記アルカリ性湿熱加温工程後の前記体表面に対し酸性基液から生成される酸性加温ミストを噴霧することによって酸性雰囲気下で湿熱加温を行う酸性湿熱加温工程と、
を備えたことを特徴とする美容方法。
【請求項９】
請求項８記載の美容方法であって、
前記被施術者の体表面は、顔面である、
ことを特徴とする美容方法。
【請求項１０】
被施術者の頭髪を所定の癖付け状態に保持する保持手段と、
前記頭髪に対して加温ミストを噴霧して湿熱加温する湿熱加温手段と、
前記頭髪を乾熱加温する乾熱加温手段と、
を備えたことを特徴とする頭髪処理装置。
【請求項１１】
請求項１０記載の頭髪処理装置であって、
前記加温ミストは、アルカリ性水、酸性水、中性水、純水、又はアルカリトリートメント液を含む基液から生成される、
ことを特徴とする頭髪処理装置。
【請求項１２】
請求項１０又は１１記載の頭髪処理装置であって、
前記湿熱加温手段は、前記加温ミストを生成するミスト生成部と、前記被施術者の頭部を覆い内部に前記ミスト生成部からの前記加温ミストが充満されるミスト・キャップと、
を備えたことを特徴とする頭髪処理装置。
【請求項１３】
請求項１０〜１２の何れかに記載の頭髪処理装置であって、
前記加温ミストを超音波加振する超音波加振手段を備え、
前記超音波加振手段は、前記被施術者の頭部周囲に配置され前記頭部側に向けて超音波を発振可能とする発振板を備えた、
ことを特徴とする頭髪処理装置。
【請求項１４】
請求項１０〜１３の何れかに記載の頭髪処理装置であって、
前記保持手段は、外周側に前記頭髪が巻き付けられるロッドであり、
前記乾熱加温手段は、前記ロッド内に収容保持され該ロッドを加熱する発熱体である、
ことを特徴とする頭髪処理装置。
【請求項１５】
請求項１４記載の頭髪処理装置であって、
前記ロッドは、中空状に形成され、内外を連通して内周側に前記加温ミストを導入可能とする導入口と、前記内外周間に貫通形成され前記内周側から前記外周側に前記加温ミストを噴出可能とする噴出口とを備えた、
ことを特徴とする頭髪処理装置。
【請求項１６】
請求項１０〜１５の何れかに記載の頭髪処理装置であって、
前記頭髪に送風をあてる送風手段を備えた、
ことを特徴とする頭髪処理装置。
【請求項１７】
被施術者の体表面に対しアルカリ性基液から生成されるアルカリ性加温ミストを噴霧することによってアルカリ性雰囲気下で湿熱加温を行うアルカリ性湿熱加温手段と、
前記体表面に対し酸性基液から生成される酸性加温ミストを噴霧することによって酸性雰囲気下で湿熱加温を行う酸性湿熱加温手段と、
を備えたことを特徴とする美容装置。
【発明の詳細な説明】
【技術分野】
【０００１】
本発明は、頭髪に所定の癖付けを行うための頭髪処理方法及び頭髪処理装置に関する。また、本発明は、被施術者の体表面に対し加温ミストを噴霧することによって湿熱加温を行う美容方法並びに美容装置に関する。
【背景技術】
【０００２】
従来の頭髪処理装置としては、例えば特許文献１に示すようなものがある。この頭髪処理装置は、発熱体を有したロッドを備え、発熱体によってロッドが全体として発熱するようになっている。
【０００３】
ウェーブの癖付けの際には、被施術者の頭髪にアルカリ還元剤等の薬液を塗布すると共にロッドを巻き付ける。この状態で、ロッドを発熱させて頭髪を乾熱加温する。この結果、頭髪に対してウェーブの癖付けを行うことができる。
【０００４】
しかしながら、従来の頭髪処理装置では、乾熱加温によって頭髪の水分が奪われるため、水分不足による頭髪のダメージが大きいものとなっていた。
【先行技術文献】
【特許文献】
【０００５】
【特許文献１】特開２００１−３７５２８号
【発明の開示】
【発明が解決しようとする課題】
【０００６】
本発明が解決しようとする課題は、癖付け時における頭髪へのダメージが大きい点にある。
【課題を解決するための手段】
【０００７】
本発明は、癖付け時における頭髪へのダメージを抑制することを目的として、所定の癖付け状態が保持された被施術者の頭髪に対し加温ミストを噴霧することによって湿熱加温を行う湿熱加温工程と、前記湿熱加温後の前記頭髪を乾熱加温する乾熱加温工程と、を備えたことを最も主な特徴とする。
【発明の効果】
【０００８】
本発明に係る頭髪処理方法によれば、所定の癖付け状態が保持された被施術者の頭髪に対し加温ミストを噴霧することによって湿熱加温を行い、前記湿熱加温後の前記頭髪を乾熱加温するので、従って、癖付け時における頭髪へのダメージを抑制することができ、潤いのあるダメージの少ないウェーブの癖付けを行わせることができる。
【図面の簡単な説明】
【０００９】
【図１】本発明に係る頭髪処理方法の説明に供する図である。
【図２】本発明に係る美容方法の説明に供する図である。
【図３】癖付け施術中の頭髪処理装置の概略構成図である（実施例１）。
【図４】図３の頭髪処理装置の本体部の斜視図である（実施例１）。
【図５】図４の本体部の平面図である（実施例１）。
【図６】図４の本体部の正面図である（実施例１）。
【図７】図５のVII−VII線矢視における断面図である（実施例１）。
【図８】図６のVIII−VIII線矢視における断面図である（実施例１）。
【図９】図６のIX−IX線矢視における断面図である（実施例１）。
【図１０】図３の頭髪処理装置のロッドを示す概略図である（実施例１）。
【図１１】図１０のロッドの横断面である（実施例１）。
【図１２】癖付け施術中の頭髪処理装置の概略構成図である（実施例２）。
【図１３】美容施術中の美容装置の概略構成図である（実施例３）。
【発明を実施するための形態】
【００１０】
初めに、本発明に係る頭髪処理方法の概要について、図面を参照して説明する。
［本発明に係る頭髪処理方法］
図１は、本発明に係る頭髪処理方法の説明に供する図である。
【００１１】
図１のステップＳ１１に示すように、トリートメント剤を配合したパーマネント・ウェーブ（以下、”パーマ”と省略する）用第１剤を被施術者の頭髪に塗布した状態で所定時間（約１０分間程度）放置する。これにより、頭髪のジスルフィド結合を切断する。
【００１２】
ステップＳ１２において、前記パーマ用第１剤を洗い流した後、被施術者の頭髪に対しタオルドライ処理を行う。なお、前記パーマ用第１剤を洗い流すことなく、被施術者の頭髪に対しタオルドライ処理を行ってもよい。
【００１３】
ステップＳ１３において、ロッド９（図５参照）の外周面に被施術者の頭髪を巻き付け保持させる。
【００１４】
ステップＳ１４において、ロッド９に巻き付け保持された被施術者の頭髪に対し、パーマ用第１剤の還元機能を補助するアルカリ性基液から生成されるアルカリ性加温ミストを噴霧することによって湿熱加温を行う（本発明の「湿熱加温工程」に相当する）。
【００１５】
前記アルカリ性基液としては、例えば、市販のアルカリイオン整水器等で生成したいわゆるアルカリイオン水、同アルカリイオン水に塩基性アミノ酸を溶解させた水溶液、又は、精製水にチオグリコール酸やシステイン等のメルカプト化合物（還元剤）を溶解させた水溶液に、アンモニア、モノエタノールアミン、トリエタノールアミン、炭酸水素アンモニウム、アルギニン等の塩基性物質を加えてその液性をアルカリ性に調整した水溶液などを用いることができる。
【００１６】
ただし、前記アルカリ性基液に代えて、例えば、普通の水、アルカリトリートメント、中性水又は純水等を用いてもよい。
【００１７】
ステップＳ１４の湿熱加温時において、加温ミストが頭髪に浸透する。こうして浸透する加温ミストとして、パーマ用第１剤の還元機能を補助するアルカリ性基液を採用すれば、頭髪のジスルフィド結合を切断すると共に頭髪の膨潤、還元を促進することができ、同時に頭髪に対して水分を補給することもできる。
【００１８】
前記加温ミストの浸透時には、ステップＳ１１で塗布されたトリートメント剤が加温ミストと共に頭髪に浸透する。従って、トリートメント剤の浸透性を向上させることができ、トリートメント剤による損傷毛の修復を確実に行うことができる。
【００１９】
アルカリ性基液から生成される前記アルカリ性加温ミストは、前記浸透によって頭髪を加熱する。このため、アルカリ性加温ミストによる頭髪の還元を顕著に促進させながら、頭髪を熱酸化させてウェーブの癖付けを定着させることができる。
【００２０】
ステップＳ１５において、ステップＳ１４で湿熱加温された頭髪に対して乾熱加温を行う（本発明の「乾熱加温工程」に相当する）。
【００２１】
ステップＳ１５の乾熱加温工程によって、ロッド９に巻き付けられた頭髪は、水分を奪われながら熱酸化してウェーブの癖付けの定着が行われる。ところが、頭髪には、ステップＳ１４の湿熱加温時の加温ミストによる水分がじゅうぶんに供給されている。このため、乾熱加温時の過剰な乾燥によるダメージから頭髪を効果的に保護することができる。
【００２２】
頭髪のウェーブは、一般に乾燥が進むに連れて徐々に大きくなる。この点、ステップＳ１５では、乾熱加温を行いながらウェーブの癖付けを行うため、乾燥の程度に応じたウェーブ量の変化と、施術に応じたウェーブ量の変化と、を確実に把握することができる。従って、思い通りのウェーブの癖付けを行わせることができる。
【００２３】
ステップＳ１６において、ステップＳ１５における乾熱加温後の頭髪に対し、パーマ用第２剤の酸化機能を補助する酸性基液から生成される酸性加温ミストを噴霧しながら送風をあてる（本発明の「湿熱加温送風工程」に相当する）。
【００２４】
ステップＳ１６の湿熱加温時において、加温ミストが頭髪に浸透する。こうして浸透する加温ミストとして、パーマ用第２剤の酸化機能を補助する酸性基液を採用すれば、切断された状態の頭髪のジスルフィド結合をつなぎ合わせる（酸化）働きを顕著に促進することができ、同時に頭髪に対して水分を補給することもできる。
【００２５】
酸性基液から生成される前記酸性加温ミストは、前記浸透によって頭髪を加熱する。このため、酸性加温ミストによる頭髪の酸化を顕著に促進させながら、頭髪を熱酸化させてウェーブの癖付けを定着させることができる。
【００２６】
しかも、ステップＳ１６では、酸性加温ミストによって湿熱加温した状態で、頭髪に送風をあてる処理を行う。この送風処理によって放熱が促進された頭髪は、酸性加温ミストと放熱促進により引き締められて安定する。これにより、潤いのあるダメージのきわめて少ない頭髪のウェーブの癖付けを行うことができる。
【００２７】
次いで、図１のステップＳ１７〜Ｓ１８において、被施術者の頭髪に巻き付け保持されているロッド９を外した（ステップＳ１７）後、周知のパーマ用第２剤に頭髪を浸漬する処理を行うことによって、頭髪のジスルフィド結合をつなぎ合わせる（酸化）働きをさらに促進させる（ステップＳ１８）。
【００２８】
ステップＳ１９において、上述した頭髪処理手順を経ることによって、頭髪のダメージを抑制しながら所望のウェーブを実現することができる。
［本発明に係る頭髪処理方法の作用効果］
本発明に係る頭髪処理方法では、ウェーブの癖付け状態に保持された被施術者の頭髪に対し、パーマ用第１剤の還元機能を補助するアルカリ性基液から生成されるアルカリ性加温ミストを噴霧することによって湿熱加温を行い、湿熱加温後の頭髪を乾熱加温する構成を採用することとした。
【００２９】
このため、アルカリ性加温ミストの還元機能によって頭髪のジスルフィド結合を確実に切断すると共に、頭髪の膨潤、還元を促進することができる。
【００３０】
また、前記湿熱加温時は、加温ミストの浸透によって頭髪を加温するため、アルカリ性加温ミストによる頭髪の還元を顕著に促進させながら、頭髪を熱酸化させてウェーブの癖付けを定着させることができる。
【００３１】
さらに、頭髪は、前記乾熱加温によって水分を奪われながら熱酸化してウェーブの癖付けの定着が行われる。ところが、頭髪には、前記湿熱加温時のアルカリ性加温ミストによる水分がじゅうぶんに補給されている。このため、乾熱加温時の過剰な乾燥によるダメージから頭髪を効果的に保護することができる。
【００３２】
従って、アルカリ性加温ミストによる頭髪の膨潤・還元促進、湿熱加温による熱酸化の促進、水分補給等を頭髪全体に対して確実に行うことができ、頭髪のダメージを的確に抑制することができる。
【００３３】
また、乾燥の程度に応じたウェーブの変化と施術に応じたウェーブの変化とを確実に把握することができ、思い通りのウェーブの癖付けを行わせることができる。
【００３４】
一方、本発明に係る頭髪処理方法では、所定の癖付け状態が保持された被施術者の頭髪に対しパーマ用第１剤の還元機能を補助するアルカリ性基液から生成されるアルカリ性加温ミストを噴霧することによってアルカリ性雰囲気下で湿熱加温を行うアルカリ性湿熱加温工程と、前記アルカリ性湿熱加温工程後の前記頭髪に対しパーマ用第２剤の酸化機能を補助する酸性基液から生成される酸性加温ミストを噴霧することによって酸性雰囲気下で湿熱加温を行う酸性湿熱加温工程と、を備える構成を採用することとした。
【００３５】
前記アルカリ性湿熱加温工程では、アルカリ性加温ミストの還元機能によって頭髪のジスルフィド結合を確実に切断すると共に、頭髪の膨潤、還元を促進することができる。
【００３６】
また、アルカリ性加温ミストの浸透によって頭髪を加温するため、頭髪の還元を顕著に促進させながら、頭髪を熱酸化させてウェーブの癖付けを定着させることができる。
【００３７】
従って、アルカリ性加温ミストによる頭髪の膨潤・還元促進、湿熱加温による熱酸化の促進、水分補給等を頭髪全体に対して確実に行うことができ、頭髪のダメージを的確に抑制することができる。
【００３８】
他方、前記酸性湿熱加温工程では、酸性加温ミストの酸化機能によって、切断された状態の頭髪のジスルフィド結合をつなぎ合わせる（酸化）働きを促進する結果として、頭髪のダメージを修復することができる。
【００３９】
また、酸性加温ミストの浸透によって頭髪を加温するため、頭髪の酸化を顕著に促進させながら、頭髪を熱酸化させてウェーブの癖付けを定着させることができる。
【００４０】
従って、酸性加温ミストによる頭髪の酸化促進、湿熱加温による熱酸化の促進、水分補給等を頭髪全体に対して確実に行うことができ、頭髪のダメージを的確に修復することができる。
【００４１】
次に、本発明に係る美容方法の概要について、図面を参照して説明する。
［本発明に係る美容方法］
図２は、本発明に係る美容方法の説明に供する図である。
【００４２】
図２のステップＳ２１に示すアルカリ性湿熱加温工程では、被施術者の体表面（例えば顔面等）に対しアルカリ性基液から生成されるアルカリ性加温ミストを噴霧することによってアルカリ性雰囲気下で湿熱加温を行う。
【００４３】
このため、アルカリ性ミストの浸透・膨潤機能によって、顔面等体表面の皮膚の毛穴をひらくと共に毛穴の奥まで浸透して、毛穴の奥の皮脂や汚れを浮かし出すことができる。
【００４４】
また、加温ミストの浸透によって顔面等を加温するため、アルカリ性ミストと加温ミストによる皮膚の膨潤作用が相まって、顔面等の毛穴の奥の皮脂や汚れの浮かし出しを顕著に促進させることができる。
【００４５】
図２のステップＳ２２において、ステップＳ２１で浮かし出された皮脂や汚れを、お湯による洗顔又はタオルによるふき取り等によって顔面等から除去する。
【００４６】
次いで、図２のステップＳ２３に示す酸性湿熱加温工程では、前記アルカリ性湿熱加温工程後の前記体表面に対し酸性基液から生成される酸性加温ミストを噴霧することによって酸性雰囲気下で湿熱加温を行う。
【００４７】
このため、酸性ミストの引き締め作用によって、顔面等体表面の皮膚を引き締めることができる。
［本発明に係る美容方法の作用効果］
本発明に係る美容方法では、被施術者の体表面（例えば顔面）に対しアルカリ性基液から生成されるアルカリ性加温ミストを噴霧することによってアルカリ性雰囲気下で湿熱加温を行うアルカリ性湿熱加温工程（ステップＳ２１）と、前記アルカリ性湿熱加温工程後の前記体表面に対し酸性基液から生成される酸性加温ミストを噴霧することによって酸性雰囲気下で湿熱加温を行う酸性湿熱加温工程（ステップＳ２２）と、を備える構成を採用することとした。
【００４８】
アルカリ性湿熱加温工程では、アルカリ性ミストと加温ミストによる皮膚の膨潤作用が相まって、顔面等の毛穴の奥の皮脂や汚れの浮かし出しを顕著に促進させることができる。
【００４９】
他方、酸性湿熱加温工程では、酸性ミストの引き締め作用によって、顔面等体表面の皮膚を引き締めることができる。
【００５０】
従って、本発明に係る美容方法によれば、アルカリ性湿熱加温工程での顔面等の毛穴の奥の皮脂や汚れの浮かし効果と、酸性湿熱加温工程での顔面等の皮膚引き締め効果と、を交互に作用させることによって、顔面等から皮脂や汚れを除去して美しく整えると共に、新陳代謝を活発にして若々しい肌を維持することができる。
【実施例１】
【００５１】
以下、本発明の頭髪処理方法を実施する際に用いる実施例１に係る頭髪処理装置について、図３〜図１１を参照して説明する。
［実施例１に係る頭髪処理装置］
図３は、ウェーブの癖付け施術中の実施例１に係る頭髪処理装置を示す概略構成図、図４は、図３の頭髪処理装置の本体部の斜視図、図５は、図４の本体部の平面図、図６は、図４の本体部の正面図、図７は、図５のVII−VII線矢視における断面図、図８は、図６のVIII−VIII線矢視における断面図、図９は、図６のIX−IX線矢視における断面図、図１０は図３の頭髪処理装置のロッドを示す概略図、図１１は図１０のロッドの横断面である。
【００５２】
図３に示すように、実施例１に係る頭髪処理装置１は、被施術者の頭髪に対して頭髪処理としてのウェーブの癖付けを行うものであり、本体部３と、ミスト加温部５と、超音波加振部７と、ロッド９とを備えている。なお、超音波加振部７は、本発明の頭髪処理方法を実施する際に省略することができる。
【００５３】
前記本体部３は、上下に分割形成された箱状のハウジング１１を備えている。ハウジング１１の上面には、制御用のスイッチ・パネル１３が設けられている。スイッチ・パネル１３は、コントローラ１４に接続され、ミスト加温部５及びロッド９を制御できるようになっている。
【００５４】
前記スイッチ・パネル１３には、図３〜図６に示すように、ロッド９接続用の端子部１９が複数設けられている。各端子部１９は、ロッド９に対する制御用及び電力供給用のコード２１の一端が着脱自在に接続される。
【００５５】
前記ハウジング１１の上面には、ミスト用の基液を補充可能とする補充口２３を備えている。補充口２３は、蓋体２４によって開閉されるようになっている。前記補充口２３に隣接して、ミスト送出用のミスト・ホース２５がハウジング１１の上面に引き出されている。また、ハウジング１１の上面には、後述する超音波加振部７のアーム部６８を取り付けるための取付孔１５が設けられている。
【００５６】
前記ミスト加温部５は、図３〜図９に示すように、頭髪に対して加温ミストを噴霧して湿熱加温する湿熱加温手段を構成し、ミスト・タンク３７と、ミスト送出部（本発明の「送風手段」に相当する）３８と、ミスト・キャップ３９とを備えている。
【００５７】
ミスト・タンク３７は、図７に示すように、前記本体部３のハウジング１１に形成されたタンク保持部４０に収容保持されている。タンク保持部４０は、ハウジング１１下面に凹状に形成され、周壁部４１及び上壁部４２を備えている。周壁部４１は、ハウジング１１の下面から内部側へ延設され、上壁部４２は、周壁部４１の内端部に設けられている。
【００５８】
前記ミスト・タンク３７は、タンク保持部４０の上壁部４２下面に取り付けられて、上面開口が閉塞されている。ミスト・タンク３７の開口縁には、シール保持部４３が設けられている。シール保持部４３は、タンク保持部４０の上壁部４２との間を密閉するシール部材４４が保持されている。
【００５９】
前記ミスト・タンク３７内には、ミスト用の基液として、前述のアルカリ性基液が収容されている。
【００６０】
前記ミスト・タンク３７の下面側には、図７及び図９に示すように、ミスト・タンク３７内に連通する筒部４５が複数延設されている。各筒部４５の先端には、振動子４６が取り付けられ、振動子４６は、筒部４５を介してミスト用の基液に直接接している。そして、振動子４６は、コントローラ１４の制御によって超音波振動し、ミスト・タンク３７内の液体をミスト化させるようになっている。
【００６１】
前記ミスト用の液量は、液量センサ（図示せず）によって検出される。かかる検出結果に応じて、コントローラ１４は、スイッチ・パネル１３上で「満水、補充」の何れかを点灯表示させる。
【００６２】
なお、液体の補充は、図７及び図８に示すように、補充口２３から行うことができるようになっている。すなわち、補充口２３は、テーパ状に形成され、底部開口に筒状のパイプ接続口４７が設けられている。パイプ接続口４７内には、パイプ４９の一端側が嵌合接続されている。
【００６３】
前記パイプ４９の他端側は、タンク保持部４０の上壁部４２に設けられたパイプ接続口５１に接続されている。パイプ接続口５１は、ミスト・タンク３７内に連通した筒状であり、内周側にパイプ４９の他端側が嵌合している。
【００６４】
前記補充口２３は、閉止プラグ５３によって開放可能に閉止されている。前記閉止プラグ５３は、雄ねじ部５５を備え、この雄ねじ部５５がパイプ４９の他端側内周の雌ねじ部５７に螺合している。これにより、閉止プラグ５３は、補充口２３からミストが噴出することを防止している。
【００６５】
前記ミスト送出部３８は、図３〜図９に示すように、送出ファン５９及びミスト・ホース２５を備えている。前記送出ファン５９は、押し込み式の電動ファンからなっている。送出ファン５９は、タンク保持部４０の上壁部４２に設けられたファン取付口６１に取り付けられている。ファン取付口６１は、ミスト・タンク３７内に連通し、送出ファン５９からミスト・タンク３７内に空気を押し込み可能としている。
【００６６】
前記送出ファン５９の制御は、スイッチ・パネル１３の操作によって行われる。かかる制御では、送出ファン５９の駆動制御によるミストの噴霧時間及び噴霧量等の調整が可能となっている。例えば噴霧時間を３〜９分の間で、噴霧量を弱、中、強の間で切替調整することができる。
【００６７】
前記ミスト・ホース２５は、図８に示すように、可撓性を有した合成樹脂等からなっている。ミスト・ホース２５の一端は、タンク保持部４０の上壁部４２に設けられたホース接続口６３に接続されている。
【００６８】
ホース接続口６３は、筒状に形成され、外周にミスト・ホース２５の一端側が嵌合している。ホース接続口６３は、ミスト・タンク３７内に連通し、ミスト・タンク３７内からミスト・ホース２５側へミストを送出可能としている。前記ホース接続口６３の基端側外周には、ミスト・ホース２５の一端側縁部が嵌合する凹部６２が周回状に設けられている。
【００６９】
前記ミスト・ホース２５内には、図３に示すように、ミスト・ヒータ６４が設けられている。ミスト・ヒータ６４は、スイッチ・パネル１３の操作によって制御され、ミスト・ホース２５内を通過するミストを例えば摂氏１３０度程に加熱する。これによって加温ミストが生成される。従って、ミスト・ホース２５は、ミスト・タンク３７と共に加温ミストを生成するミスト生成部を構成している。
【００７０】
前記ミスト・ホース２５の他端側は、ハウジング１１上面から外部に引き出され、ミスト・キャップ３９に接続されている。
【００７１】
従って、前記ミスト送出部３８は、送出ファン５９によって、ミスト・タンク３７内からミスト・ホース２５を介して加温ミストをミスト・キャップ３９側へ送り出す。
【００７２】
前記ミスト・キャップ３９は、図３に示すように、可撓性を有した合成樹脂等からなり、ドーム状に形成されている。このミスト・キャップ３９は、開口から被施術者の頭部に被せて、該頭部を全体的に覆うようになっている。ミスト・キャップ３９の開口縁が被施術者の頭部に係止され、ミスト・キャップ３９の内部が閉止される。
【００７３】
前記ミスト・キャップ３９には、内外周を連通するホース接続口６５が設けられている。このホース接続口６５には、ミスト・ホース２５の他端側が嵌合接続している。従って、ミスト・キャップ３９は、ミスト・ホース２５を介して送出された加温ミストを、内部に噴霧可能としている。
【００７４】
前記超音波加振部７は、噴霧されるミストを超音波加振する超音波加振手段を構成し、発振板６７を備えている。
【００７５】
発振板６７は、本体部３に取り付けられたアーム部６８の先端に支持されている。発振板６７は、ドーム状に形成され、被施術者の頭部をミスト・キャップ３９の外側から覆うようになっている。これにより、発振板６７は、被施術者の頭部周囲に配置される。発振板６７は、内外周を貫通する貫通孔６９を備え、貫通孔６９によってミスト・ホース２５を挿通する。
【００７６】
前記発振板６７は、コード７１を介して超音波制御部７３に接続され、超音波制御部７３の制御によって振動するようになっている。かかる振動により、発振板６７は、超音波を被施術者の頭部側に発振する。従って、超音波加振部７は、発振板６７からの超音波によって頭部に噴霧された加温ミストを加振することができる。
【００７７】
前記ロッド９は、図３、図１０及び図１１に示すように、施術中の頭髪のウェーブ癖付け状態を保持する保持手段を構成する。このロッド９は、熱伝導の良い材料、例えばセラミックで形成されている。ロッド９は、中空筒状に形成され、外周面７５に頭髪が巻き付け保持可能となっている。
【００７８】
前記ロッド９には、コイル状に巻回された乾熱加熱手段としての発熱体７９が内蔵されている。発熱体７９は、ニクロム線等によって形成され、ロッド９の外周部側に埋設されている。ロッド９には、複数のトルマリン石３２が埋設されている。ロッド９の軸心部には、連通路３４が貫通形成されている。連通路３４の両端部は、ロッド９の内周側に加温ミストを導入可能とする導入口３３を構成している。
【００７９】
前記連通路３４から放射方向に複数の分岐路３５が貫通形成されている。この分岐路３５は、ロッド９の内外周間に設けられた噴出口を構成している。従って、各分岐路３５は、ロッド９の内周側である連通路３４内に導入された加温ミストを、外周側に噴出させるようになっている。
【００８０】
前記ロッド９の連通路３４内には、発熱体７９に電気的に接続されたロッド端子３１が配置されている。ロッド端子３１は、ロッド９の一端側に引き出されている。このロッド端子３１には、本体部３からのコード２１の他端が接続される。コード２１を介して、発熱体７９は、コントローラに通電制御されて発熱する。そして、発熱体７９は、かかる発熱により、ロッド９を全体として加熱して発熱させる。
【００８１】
前記ロッド９の制御は、前記スイッチ・パネル１３（図９参照）の操作によって行われる。かかる制御では、例えばロッド９の発熱時間を「３分、６分、９分」の間で、発熱温度を「摂氏１１０度、摂氏１２０度、摂氏１３０度」の間で切替調整することができる。
［実施例１に係る頭髪処理装置の作用効果］
実施例１に係る頭髪処理装置では、まず、被施術者の頭髪を所定の癖付け状態に保持する。すなわち、ロッド９の外周面７５に頭髪を巻き付け保持する（図１のステップＳ１３に相当する）。この巻き付け処理前に、被施術者の頭髪には、トリートメント剤を配合したパーマ用第１剤を予め塗布しておく（図１のステップＳ１１に相当する）。
【００８２】
前記巻き付け処理を１又は複数の箇所について行った後、ロッド９に巻き付け保持された頭髪に対し、アルカリ性加温ミストを超音波加振しながら噴霧することによって湿熱加温を行う（図１のステップＳ１４に相当する）。
【００８３】
すなわち、ミスト・ホース２５先端のミスト・キャップ３９を、被施術者の頭部に被せ、その上から超音波加振部７の発振板６７を頭部に被せる。
【００８４】
この状態で、本体部３のスイッチ・パネル１３を操作してミスト加温部５の加温ミストの噴霧量、噴霧時間を設定する。また、超音波制御部７３を操作して発振板６７の振動時間等を設定する。
【００８５】
本実施例１では、前記のように摂氏１３０度程に加熱した加温ミストの噴霧時間を約６分間とし、振動時間も約６分間に設定する。かかる頭髪処理条件の設定に基づき、ミスト加温部５のミスト・キャップ３９内に加温ミストを供給すると共に超音波加振部７の発振板６７から超音波を発振する。
【００８６】
ミスト・キャップ３９内に供給された加温ミストは、発振板６７からの超音波によって加振されながらミスト・キャップ３９と頭部との間の全体に行き渡る。この結果、超音波加振された加温ミストをロッド９に巻き付けられた頭髪に対して噴霧し、頭髪の湿熱加温を行うことができる。
【００８７】
このとき、各ロッド９は、導入口３３を介して内周側である連通路３４内に加温ミストが導入される。導入された加温ミストは、分岐路３５を介して外周側に噴き出される。このため、本実施例１では、ロッド９に巻き付けられた頭髪の内外周全体に、加温ミストを確実に噴霧して湿熱加温することができる。
【００８８】
かかる湿熱加温時は、加温ミストが頭髪に浸透する。浸透した加温ミストは、パーマ用第１剤の還元機能を補助するアルカリ性基液からなるため、頭髪のジスルフィド結合を切断すると共に頭髪の膨潤、還元を促進することができ、同時に頭髪に対して水分を補給することもできる。
【００８９】
本実施例１のアルカリ性加温ミストでは、通常のアルカリ性還元水の粒子径が１００〜５００μｍ程度であるのに対し、超音波加振作用によってその粒子径が３〜５μｍ程度まで小さくなっている。従って、本実施例１では、アルカリ性加温ミストの頭髪に対する浸透性を著しく向上することができる。
【００９０】
前記浸透時には、頭髪に塗布されているトリートメント剤が、加温ミストと共に頭髪に浸透する。従って、本実施例１では、トリートメント剤の浸透性をも向上させることができ、トリートメント剤による損傷毛の修復を確実に行うことができる。
【００９１】
そして、加温ミストは、前記浸透によって、頭髪を内外から加熱する。このため、本実施例１では、頭髪のジスルフィド結合の切断（還元）を行いながら、頭髪を熱酸化させてウェーブの癖付けを定着させることができる。
【００９２】
次いで、前記のように湿熱加温された頭髪に対して乾熱加温を行う。
【００９３】
すなわち、複数のロッド９に本体部３からのコード２１を接続し、本体部３のスイッチ・パネル１３を操作して、ロッド９の発熱時間、温度等の頭髪処理条件を設定する。本実施例１では、発熱温度を約摂氏１３０度、発熱時間を約３分とする。かかる設定に基づき、頭髪処理装置１は、ロッド９を発熱させて頭髪を乾熱加温する（図１のステップＳ１５に相当する）。
【００９４】
かかる乾熱加温により、ロッド９に巻き付けられた頭髪は、水分が奪われながら熱酸化してウェーブの癖付けの定着が行われる。このとき、頭髪は、湿熱加温時に加温ミストによる水分が補給されているため、乾熱加温時の過剰な乾燥によるダメージから保護される。
【００９５】
また、頭髪のウェーブは、一般に乾燥に応じて徐々に大きくなる。本実施例１では、乾燥させながら最終的なウェーブの癖付けを行うため、乾燥の程度に応じたウェーブの変化と施術に応じたウェーブの変化とを確実に把握することができる。従って、本実施例１では、思い通りのウェーブの癖付けを行わせることができる。
【００９６】
前記乾熱加温後は、ミスト加温部５のミスト・ヒータ６４及びミスト・タンク３７の振動子４６を停止させて、頭髪に約５分間の送風を行う。かかる送風により、頭髪は、放熱が促進されて安定する。こうして、本実施例１では、潤いのあるダメージの少ない頭髪へのウェーブの癖付けを行うことができる。
【実施例２】
【００９７】
次に、実施例２に係る頭髪処理装置について、図面を参照して説明する。
【００９８】
図１２は、癖付け施術中の実施例２に係る頭髪処理装置を示す概略構成図である。
【００９９】
実施例１に係る頭髪処理装置１と、実施例２に係る頭髪処理装置８１とは、実施例１の本体部３から導出されたミスト・ホース２５以降の被施術者側における構成要素が共通である。このため、これら共通な構成要素には共通の符合を付し、その重複した説明を省略して、両実施例１，２間の相違点に注目して説明を進めることにする。
【０１００】
実施例１と実施例２との相違点は次の通りである。すなわち、実施例１に係る頭髪処理装置１の本体部３では、ひとつのミスト・タンク３７が内蔵され、このミスト・タンク３７にはアルカリ性基液が収容されて、このアルカリ性基液から生成されるアルカリ性ミストが、被施術者の頭髪に対して適用される構成を採用している。
【０１０１】
これに対し、実施例２に係る頭髪処理装置８１の本体部８３では、一対のミスト・タンク３７，８５が内蔵され、一方のミスト・タンク３７には実施例１と同じアルカリ性基液が収容されるとともに、他方のミスト・タンク３７には酸性基液が収容され、これらアルカリ性基液又は酸性基液からそれぞれ生成されるミストが、被施術者の頭髪に対して適用される構成を採用している。
【０１０２】
すなわち、実施例１に係る頭髪処理装置１の本体部３では、一種類のアルカリ性基液から生成されるアルカリ性水のミストが被施術者の頭髪に対して適用可能であるのに対し、実施例２に係る頭髪処理装置８１の本体部８３では、二種類のアルカリ性基液及び酸性基液からそれぞれ生成されるアルカリ性又は酸性ミストが選択的に被施術者の頭髪に対して適用可能であり、被施術者の頭髪に対して適用可能なミストの液性バリエーションが異なる点で、実施例１と実施例２とは大きく相違している。
【０１０３】
前記ミスト・タンク８５内には、ミスト用の基液として、酸性基液が収容されている。本実施例２の酸性基液としては、例えば、市販のアルカリイオン整水器で生成したいわゆる酸性水、同酸性水にグルタミン酸やアスコルビン酸等を溶解させた水溶液、又は、精製水にグルタミン酸やアスコルビン酸等を溶解させた水溶液に、リン酸、リン酸塩、クエン酸、酒石酸等の人体に接触しても無害な酸性物質を加えてその液性を酸性に調整した水溶液などを用いることができる。
【０１０４】
なお、図１２中の符合８７は、支点８９で支持されて実線で示す位置と点線で示す位置のふたつに切り替え可能な切替弁である。この切替弁８７は、不図示の弁アクチュエータの付勢動作によって切り替えられる。切替弁８７が、実線で示す位置に付勢されたときはタンク３７のアルカリ性ミストが送出され、また、点線で示す位置に付勢されたときはタンク８５の酸性ミストが送出されるように、二種類の液性のミストが選択的に送出されるように構成されている。
【０１０５】
また、図１２中の符合９１は、ミスト送出部３８としての役割を果たす送出ファン９１、図１２中の符合９３は、酸性基液をミスト化する役割を果たす超音波振動子である。
【０１０６】
前記送出ファン９１の制御は、実施例１と同様に、スイッチ・パネル１３の操作によって行われる。かかる制御では、実施例１と同様に、送出ファン９１の駆動制御によるミストの噴霧時間及び噴霧量等の調整が可能であり、例えば噴霧時間を３〜９分の間で、噴霧量を弱、中、強の間で切替調整することができるように構成されている。
［実施例２に係る頭髪処理装置の作用効果］
実施例２に係る頭髪処理装置では、図１のステップＳ１１に示すように、被施術者の頭髪を、トリートメント剤を配合したパーマ用第１剤で処理して、所定時間放置する。
【０１０７】
図１のステップＳ１２において、被施術者の頭髪をすすいだ後、タオルドライ処理を行う。
【０１０８】
図１のステップＳ１３において、頭髪処理装置８１におけるロッド９の外周面７５に被施術者の頭髪を巻き付け保持させる。
【０１０９】
図１のステップＳ１４において、ロッド９に巻き付け保持された被施術者の頭髪に対し、アルカリ性加温ミストを超音波加振しながら噴霧することによって湿熱加温を行う（本発明の「湿熱加温工程」又は「アルカリ性湿熱加温工程」に相当する）。
【０１１０】
具体的には、図１のステップＳ１４において、ミスト・ホース２５先端のミスト・キャップ３９を被施術者の頭部に被せ、その上から超音波加振部７の発振板６７を頭部に被せる。この状態で、本体部３のスイッチ・パネル１３を操作してミスト加温部５の加温ミストの噴霧量、噴霧時間を設定する。また、超音波制御部７３を操作して発振板６７の振動時間等を設定する。
【０１１１】
本実施例２では、実施例１と同様に、摂氏１３０度程に加熱した加温ミストの噴霧時間を約６分間とし、振動時間も約６分間に設定する。かかる頭髪処理条件の設定に基づき、ミスト加温部５のミスト・キャップ３９内に、アルカリ性加温ミストを供給すると共に超音波加振部７の発振板６７から超音波を発振する。
【０１１２】
ミスト・キャップ３９内に供給されたアルカリ性加温ミストは、発振板６７からの超音波によって加振されながらミスト・キャップ３９と頭部との間の全体に行き渡る。この結果、超音波加振された加温ミストをロッド９に巻き付けられた頭髪に対して噴霧し、頭髪の湿熱加温を行うことができる。
【０１１３】
このとき、各ロッド９は、導入口３３を介して内周側である連通路３４内に加温ミストが導入される。導入された加温ミストは、分岐路３５を介して外周側に噴き出される。このため、本実施例２では、実施例１と同様に、ロッド９に巻き付けられた頭髪の内外周全体に、加温ミストを確実に噴霧して湿熱加温することができる。
【０１１４】
かかる湿熱加温時において、加温ミストが頭髪に浸透する。こうして浸透した加温ミストは、パーマ用第１剤の還元機能を補助するアルカリ性基液からなるため、頭髪のジスルフィド結合等を切断すると共に頭髪の膨潤、還元を促進することができ、同時に頭髪に対して水分を補給することもできる。
【０１１５】
本実施例２の加温ミストでは、実施例１と同様に、超音波加振作用によってその粒子径が３〜５μｍ程度まで小さくなっている。従って、加温ミストの頭髪に対する浸透性を著しく向上することができる。
【０１１６】
前記浸透時には、実施例１と同様に、頭髪に塗布されているトリートメント剤が、加温ミストと共に頭髪に浸透する。従って、トリートメント剤の浸透性をも向上させることができ、トリートメント剤による損傷毛の修復を確実に行うことができる。
【０１１７】
そして、加温ミストは、前記浸透によって、頭髪を内外から加熱する。このため、実施例１と同様に、頭髪の還元等を行いながら、頭髪を熱酸化させてウェーブの癖付けを定着させることができる。
【０１１８】
図１のステップＳ１５において、ステップＳ１４で湿熱加温された頭髪に対して乾熱加温を行う（本発明の「乾熱加温工程」に相当する）。すなわち、複数のロッド９に本体部３からのコード２１を接続し、本体部３のスイッチ・パネル１３を操作して、ロッド９の発熱時間、温度等の頭髪処理条件を設定する。本実施例２では、実施例１と同様に、発熱温度を摂氏１３０度ほど、発熱時間を約３分とする。かかる設定に基づき、頭髪処理装置８１は、ロッド９を発熱させて頭髪を乾熱加温する。
【０１１９】
かかる乾熱加温工程によって、ロッド９に巻き付けられた頭髪は、水分が奪われながら熱酸化してウェーブの癖付けの定着が行われる。このとき、頭髪は、湿熱加温時に加温ミストによる水分が補給されているため、乾熱加温時の過剰な乾燥によるダメージから保護される。
【０１２０】
また、頭髪のウェーブは、一般に乾燥が進むに連れて徐々に大きくなる。本実施例２では、乾燥させながらウェーブの癖付けを行うため、乾燥の程度に応じたウェーブ量の変化と、施術に応じたウェーブ量の変化と、を確実に把握することができる。従って、本実施例２では、実施例１と同様に、思い通りのウェーブの癖付けを行わせることができる。
【０１２１】
図１のステップＳ１６において、ステップＳ１５における乾熱加温後の前記頭髪に対し酸性加温ミストを超音波加振しながら噴霧した状態で送風をあてる（本発明の「湿熱加温送風工程」に相当する）。このステップＳ１６の処理工程が、実施例１と比較して大きく相違する。
【０１２２】
具体的には、ステップＳ１６において、摂氏１３０度程に加熱した加温ミストの噴霧時間を約５分間とし、振動時間も約５分間に設定する。かかる頭髪処理条件の設定に基づき、ミスト加温部５のミスト・キャップ３９内に、酸性加温ミストを供給すると共に超音波加振部７の発振板６７から超音波を発振する。
【０１２３】
ミスト・キャップ３９内に供給された酸性加温ミストは、発振板６７からの超音波によって加振されながらミスト・キャップ３９と頭部との間の全体に行き渡る。この結果、超音波加振された酸性加温ミストをロッド９に巻き付けられた頭髪に対して噴霧し、頭髪の湿熱加温を行うことができる。
【０１２４】
このとき、各ロッド９は、導入口３３を介して内周側である連通路３４内に加温ミストが導入される。導入された加温ミストは、分岐路３５を介して外周側に噴き出される。このため、本実施例２では、実施例１と同様に、ロッド９に巻き付けられた頭髪の内外周全体に、酸性加温ミストを確実に噴霧して湿熱加温することができる。
【０１２５】
かかる湿熱加温時において、加温ミストが頭髪に浸透する。こうして浸透した加温ミストは、パーマ用第２剤の酸化機能を補助する酸性基液からなるため、実施例１と比べて、切断された状態の頭髪のジスルフィド結合をつなぎ合わせる（酸化）働きを顕著に促進することができ、同時に頭髪に対して水分を補給することもできる。
【０１２６】
ここで、本実施例２の酸性加温ミストでは、通常の酸性水の粒子径が１００〜５００μｍ程度であるのに対し、超音波加振作用によってその粒子径が３〜５μｍ程度まで小さくなっている。従って、本実施例２では、酸性加温ミストの頭髪に対する浸透性を著しく向上することができる。
【０１２７】
本実施例２における酸性加温ミストは、前記浸透によって、頭髪を内外から加熱する。このため、本実施例２では、酸性水に起因する頭髪の酸化を顕著に促進させながら、頭髪を熱酸化させてウェーブの癖付けを定着させることができる。
【０１２８】
しかも、図１のステップＳ１６では、酸性加温ミストによって湿熱加温した状態で、頭髪に送風をあてる処理を行う。この送風処理によって放熱が促進された頭髪は、酸性加温ミストと放熱促進により引き締められて安定する。これにより、本実施例２では、潤いのあるダメージのきわめて少ない頭髪のウェーブの癖付けを行うことができる。
【０１２９】
次いで、図１のステップＳ１７〜Ｓ１８において、被施術者の頭髪に巻き付け保持されているロッド９を外した（ステップＳ１７）後、周知のパーマ用第２剤を頭髪に塗布する処理を行うことによって、頭髪のジスルフィド結合をつなぎ合わせる（酸化）働きをさらに促進させる（ステップＳ１８）。
【０１３０】
図１のステップＳ１９において、上述した頭髪処理手順を経ることによって、頭髪のダメージを抑制しながら所望のウェーブを実現することができる。
【実施例３】
【０１３１】
次に、実施例３に係る美容装置について、図面を参照して説明する。
【０１３２】
図１３は、美容施術中の実施例３に係る美容装置を示す概略構成図である。
【０１３３】
実施例２に係る頭髪処理装置８１と、実施例３に係る美容装置１０１とは、基本的な構成要素が共通する。このため、これら共通な構成要素には共通の符合を付し、その重複した説明を省略して、両実施例２，３間の相違点に注目して説明を進めることにする。
【０１３４】
実施例２と実施例３との相違点は次の通りである。すなわち、実施例２に係る頭髪処理装置８１では、頭髪を処理するための構成部材として、超音波加振部７、ロッド９、ロッド９接続用の端子部１９やコード２１、ミスト・キャップ３９、発振板６７並びに超音波制御部７３等が設けられているのに対し、実施例３に係る美容装置１０１及び本体部１０３では、これらの構成部材が省略されている。
【０１３５】
美容装置１０１において、ミスト加温部５、ミスト・ホース２５、アルカリ性基液用ミスト・タンク３７、ミスト送出部３８、超音波振動子４６、送出ファン５９、ミスト・ヒータ６４並びに切替弁８７が、アルカリ性湿熱加温手段を構成する。
【０１３６】
一方、ミスト加温部５、ミスト・ホース２５、ミスト送出部３８、ミスト・ヒータ６４、酸性基液用ミスト・タンク８５、切替弁８７、送出ファン９１並びに超音波振動子９３が、酸性湿熱加温手段を構成する。
［実施例３に係る美容装置の作用効果］
実施例３に係る美容装置では、図２のステップＳ２１に示すように、アルカリ性湿熱加温手段は、被施術者の体表面（例えば顔面等）に対しアルカリ性基液から生成されるアルカリ性加温ミストを噴霧することによってアルカリ性雰囲気下で湿熱加温を行う。
【０１３７】
これにより、アルカリ性ミストと加温ミストによる皮膚の膨潤作用が相まって、顔面等の毛穴の奥の皮脂や汚れの浮かし出しを顕著に促進させることができる。
【０１３８】
一方、図２のステップＳ２３に示すように、酸性湿熱加温手段は、前記アルカリ性湿熱加温後の前記体表面に対し酸性基液から生成される酸性加温ミストを噴霧することによって酸性雰囲気下で湿熱加温を行う。
【０１３９】
これにより、酸性ミストの引き締め作用によって、顔面等体表面の皮膚を引き締めることができる。
【０１４０】
従って、本発明に係る美容装置１０１によれば、アルカリ性湿熱加温手段による顔面等の毛穴の奥の皮脂や汚れの浮かし効果と、酸性湿熱加温手段での顔面等の皮膚引き締め効果と、を交互に作用させることによって、顔面等から皮脂や汚れを除去して美しく整えると共に、新陳代謝を活発にして若々しい肌を維持することができる。
［その他］
本発明は、上述した実施例に限られるものではなく、請求の範囲及び明細書全体から読み取れる発明の要旨、あるいは技術思想に反しない範囲で適宜変更可能であり、そのような変更を伴う頭髪処理方法、美容方法、頭髪処理装置並びに美容装置もまた、本発明における技術的範囲の射程に包含されるものである。
【０１４１】
すなわち、実施例１，２において、頭髪に対してウェーブの癖付けを行う例をあげて説明したが、本発明はこの例に限定されることなく、例えば、ストレートパーマ等の癖付けを行ってもよい。この場合、保持手段としては、ストレートパーマ用のものを用いればよい。
【０１４２】
また、実施例１，２の乾熱加温手段としては、頭部の周囲からの赤外線照射によるヒータや、頭髪に熱風を当てるドライヤを用いてもよい。
【０１４３】
さらに、実施例１，２において、ミストを発生させるための機構（本体部３、８３）と、被施術者の頭髪を加温するための機構（ミスト・ヒータ６４など）とを、ひとつの頭髪処理装置１、８１内に共存させてシステムを構築する例をあげて説明したが、本発明はこの例に限定されることなく、上記の機構をそれぞれ独立させて構築したシステムも、本発明の技術的範囲の射程に包含される。
【０１４４】
しかも、実施例１〜３において、アルカリ性加温ミストまたは酸性加温ミストの一部を、頭髪処理施術中または美容施術中の室内に噴霧する構成を採用すれば、同施術室内に加温ミストが拡散して、乾燥しがちな施術室内の雰囲気を潤すことができる。
【０１４５】
最後に、実施例１〜３において、アルカリ性基液または酸性基液に、例えばハーブエキス等の香り成分を含有させる構成を採用すれば、頭髪処理施術中または美容施術中において、加温ミスト中の香り成分が施術室内に拡散してリラックス効果を奏するといった、副次的な効果を期待することもできる。
【符号の説明】
【０１４６】
１  実施例１に係る頭髪処理装置
３  実施例１に係る本体部
５  ミスト加温部（湿熱加温手段）
７  超音波発振部（超音波発振手段）
９  ロッド（保持手段）
２５  ミスト・ホース（ミスト生成部）
３３  導入口
３５  分岐路（噴出口）
３７  アルカリ性基液用ミスト・タンク（ミスト生成部）
３８  ミスト送出部（送風手段）
３９  ミストキャップ
４６  超音波振動子
５９  送出ファン（送出手段）
６４  ミスト・ヒータ（アルカリ性湿熱加温手段、及び酸性湿熱加温手段）
６７  発振板
７９  発熱体（乾熱加温手段）
８１  実施例２に係る頭髪処理装置
８３  実施例２に係る本体部
８５  酸性水用ミスト・タンク（ミスト生成部）
８７  切替弁
９１  送出ファン（送出手段）
９３  超音波振動子
１０１  実施例３に係る美容装置
１０３  実施例３に係る本体部
【図１】
2011024832.tif 000003
【図２】
2011024832.tif 000004
【図３】
2011024832.tif 000005
【図４】
2011024832.tif 000006
【図５】
2011024832.tif 000007
【図６】
2011024832.tif 000008
【図７】
2011024832.tif 000009
【図８】
2011024832.tif 000010
【図９】
2011024832.tif 000011
【図１０】
2011024832.tif 000012
【図１１】
2011024832.tif 000013
【図１２】
2011024832.tif 000014
【図１３】
2011024832.tif 000015